(57)【特許請求の範囲】
【請求項１】
表示板に表示される表示パターンの表示内容の一部をなす表示内容の表示文字を複数種類予め記憶させる表示文字記憶手段と、前記表示文字記憶手段に記憶された複数種類の表示文字から複数の表示文字を選択する表示文字選択手段と、その選択された表示文字を組合わせて、選択された表示文字の表示内容の組合せからなる表示内容の表示パターンを作成する表示パターン作成手段と、その作成された表示パターンを登録する表示パターン登録手段と、登録された表示パターンを選択する表示パターン選択手段とを有するパソコンと、表示板と、表示パターン選択手段によって選択された表示パターンが入力され、入力された表示パターンに基づいてその表示パターンで表示板を継続表示させる表示制御部とを有する表示システムであって、前記表示文字記憶手段は「安全運転」、「交通安全」、「走行注意」、「通行注意」、「凍結注意」、「路面凍結」、「この先」、「災害発生」、「事故発生」、「積雪注意」の上記１０個の表示文字の中から２個以上の表示文字を少なくとも記憶させることを特徴とする表示システム。
【請求項２】
表示文字選択手段によって選択された複数の表示文字を、所定時間毎に、又はランダムな時間間隔を保って順次繰り返して表示させる表示パターンが、表示パターン作成手段によって作成されるようになされたことを特徴とする請求項１に記載の表示システム。
【請求項３】
表示条件を設定し、表示条件に対応した表示文字を選択表示させる表示パターンが、表示パターン作成手段によって作成されるようになされたことを特徴とする請求項１又は２に記載の表示システム。
【請求項４】
周囲の気温を感知する温度センサーを有し、気温の表示と気温に対応して選択される表示文字とを組合わせた表示パターンが、表示パターン作成手段によって作成されるようになされたことを特徴とする請求項１、２又は３に記載の表示システム。
【発明の詳細な説明】
【０００１】
【発明の属する技術分野】
本発明は、主として道路情報や災害情報、交通安全情報等を表示する表示システムに関し、特にその表示内容の変更入力操作が簡単にできる表示システムに関するものである。
【０００２】
【従来の技術】
従来、多数のＬＥＤやエレクトロルミニッセンスを用いた表示板に、道路情報や災害情報、交通安全情報等を表示するようにした表示装置が使用されている。そして表示装置には、予め数種類の表示文字を組合わせた表示パターンが入力されており、この表示パターンに基づいて表示されるようになされている。
【０００３】
【発明が解決しようとする課題】
かように、従来の表示装置においては、予め入力されている表示パターンに基づいて表示されるようになされているが、季節、曜日、時間、道路環境の変化等に対応して、予め入力されている表示パターンと異なる表示パターンで表示させたい場合もある。しかしながら、かかる場合の表示内容の変更は、表示文字の入力から表示パターンの作成、表示装置への入力作業まで、複雑なコンピュータ操作を要するため、極めて煩雑な作業であり、且つコンピュータ操作の専門的な技術が必要であった。
【０００４】
そこで本発明は、上記の如き問題点を解消し、表示内容の変更入力操作が簡単にできる表示システムを提供せんとするものである。
【０００５】
【課題を解決するための手段】
上記目的を達成するために、本発明は次のような構成としている。すなわちこの発明に係る表示システムは、表示板に表示される表示パターンの表示内容の一部をなす表示内容の表示文字を複数種類予め記憶させる表示文字記憶手段と、前記表示文字記憶手段に記憶された複数種類の表示文字から複数の表示文字を選択する表示文字選択手段と、その選択された表示文字を組合わせて、選択された表示文字の表示内容の組合せからなる表示内容の表示パターンを作成する表示パターン作成手段と、その作成された表示パターンを登録する表示パターン登録手段と、登録された表示パターンを選択する表示パターン選択手段とを有するパソコンと、表示板と、表示パターン選択手段によって選択された表示パターンが入力され、入力された表示パターンに基づいてその表示パターンで表示板を継続表示させる表示制御部とを有する表示システムであって、前記表示文字記憶手段は「安全運転」、「交通安全」、「走行注意」、「通行注意」、「凍結注意」、「路面凍結」、「この先」、「災害発生」、「事故発生」、「積雪注意」の上記１０個の表示文字の中から２個以上の表示文字を少なくとも記憶させることを特徴とするものである。
【０００６】
本発明によれば、表示板の表示内容を変更したい場合は、表示文字記憶手段に予め記憶された複数種類の表示文字から、表示すべき表示文字を適宜選択し、その選択した表示文字を組合わせて表示パターンを作成登録し、その登録した表示パターンを、表示制御部に入力すればよい。従って、表示内容の変更操作は、表示文字をいちいち作成する必要がなく、予め記憶された表示文字の中から表示すべき表示文字を選択し、それを組合わせて表示パターンを作成すればよいので、極めて容易且つ正確に行え、また熟練を要することもない。
【０００７】
さらに、表示文字の選択から表示パターンの作成、登録、選択までの操作を、パソコンによって行うことから、容易に操作することがてき、そしてこの一連の操作をマニュアル化しておくことにより、パソコンの操作に不慣れな人であっても、容易に操作することができる。
【０００８】
【発明の実施の形態】
次に、本発明の実施の形態について図面を参照し、具体的に説明する。
図１は本発明における表示システムの実施の一形態を示す構成図、図２は本発明における表示システムの実施の一形態を示すブロック図である。
【０００９】
図面において、１はパソコンであり、表示文字記憶手段１１、表示文字選択手段１２、表示パターン作成手段１３、表示パターン登録手段１４及び表示パターン選択手段１５を有している。
【００１０】
表示文字記憶手段１１は、通常表示される、「安全運転」「交通安全」「走行注意」「通行注意」「凍結注意」「路面凍結」「この先」「災害発生」「事故発生」「積雪注意」等の一般的な表示文字を複数種類予め記憶させて構成され、又記憶させた後においても、パソコン１のキー操作によって文字入力することにより、記憶させておく表示文字の削除、変更、追加もできるようになされている。
【００１１】
表示文字選択手段１２は、前記表示文字記憶手段１１によって記憶された複数種類の表示文字の中から、表示すべき一個又は複数の表示文字を選択することができるように構成されている。
【００１２】
表示パターン作成手段１３は、前記表示文字選択手段１２によって選択された表示文字を組合わせて表示パターンを作成することができるように構成されており、例えば「この先」「急カーブ」「走行注意」「この先」「安全運転」等の複数の表示文字を選択し、これらの表示文字を、所定時間毎に、又はランダムな時間間隔を保って順次繰り返して表示させるような表示パターンを作成することができる。
【００１３】
表示パターン登録手段１４は、前記表示パターン作成手段１３によって作成された表示パターンを登録できるように構成されている。この表示パターンの登録は、複数種類登録できるようにしておくのが好ましい。
【００１４】
表示パターン選択手段１５は、前記表示パターン登録手段１４によって登録された表示パターンを選択し、出力できるように構成されている。
【００１５】
２は、表示板であり、多数のＬＥＤやエレクトロルミニッセンス等の自発光体を発光させることによって、任意の表示文字を表示できるように構成されている。
【００１６】
３は表示制御部であって、表示パターン選択手段１５によって選択された表示パターンが入力手段４を介して入力され、入力された表示パターンに基づいてその表示パターンで表示板２を継続表示させるように構成されている。
【００１７】
前記表示制御部３は、表示板２に取付けられていてもよいし、表示板２に近接して設けられていてもよい。なお表示パターン選択手段１５によって選択された表示パターンを表示制御部３に入力するための入力手段４は、有線であってもよいし、無線であってもよい。
【００１８】
なお表示パターンに気温等の表示条件を設定し、表示条件に対応した表示文字を表示させるようにすることもできる。例えば、表示板２に、周囲の気温を感知する温度センサー５を取付け、その温度センサー５によって気温の表示を行うと共に、予め設定された凍結温度を表示条件とし、凍結温度以下ならば、「凍結注意」の表示文字が、又凍結温度以上ならば、「交通安全」の表示文字が、それぞれ表示されるような表示パターンを作成して、登録することもできる。
【００１９】
前記表示条件は、表示期間を表示条件とすることができる。すなわち、所定期間中は所定の表示パターンで表示され、次の期間は他の表示パターンで表示されるようにすることができる。
【００２０】
本発明による表示システムは、表示内容の変更が容易に行えるため、主として道路情報や災害情報、交通安全情報等を表示する表示システムとして、好適に使用されるものであるが、これらにのみ限定されるものではない。
【００２１】
【発明の効果】
本発明によれば、表示板の表示内容を変更したい場合は、表示文字記憶手段に予め記憶された複数種類の表示文字から、表示すべき表示文字を適宜選択し、その選択した表示文字を組合わせて表示パターンを作成登録し、その登録した表示パターンを、表示制御部に入力すればよい。従って、表示内容の変更操作は、表示文字をいちいち作成する必要がなく、予め記憶された表示文字の中から表示すべき表示文字を選択し、それを組合わせて表示パターンを作成すればよいので、極めて容易且つ正確に行え、また熟練を要することもない。
【００２２】
さらに、表示文字の選択から表示パターンの作成、登録、選択までの操作を、パソコンによって行うことから、容易に操作することがてき、そしてこの一連の操作をマニュアル化しておくことにより、パソコンの操作に不慣れな人であっても、容易に操作することができる。
【図面の簡単な説明】
【図１】本発明における表示システムの実施の一形態を示す構成図である。
【図２】本発明における表示システムの実施の一形態を示すブロック図である。
【符号の説明】
１    パソコン
１１  表示文字記憶手段
１２  表示文字選択手段
１３  表示パターン作成手段
１４  表示パターン登録手段
１５  表示パターン選択手段
２    表示板
３    表示制御部
４    入力手段
５    温度センサー
【図１】
0004205812.tif 000002
【図２】
0004205812.tif 000003